(57)【要約】      （修正有）【課題】いびきや睡眠時無呼吸症候群の治療方法として、安全で、衛生的であり、下顎や頸部に圧迫感や違和感を与えることなく、就寝時の下顎の下降を抑制することにより、気道の閉塞状態を緩和する頸椎カラーを提供する。【解決手段】首に沿って巻回されるとともに、鎖骨と下顎骨の間に宛がって下顎骨を支持する硬さを有する軟質合成樹脂からなる下顎骨支持体５０を有する頸椎カラー１０であって、該支持体には、オトガイ支持のための正面視Ｕ字状のオトガイ受け部４１と、下顎骨に沿って当接して支持する前記オトガイ受け部の両側に延出する下顎骨当接部と、内面に形成され、喉頭隆起を収容する深さの正面凹部と、正面凹部の両側に形成された左右の総頸動脈を圧迫しないための深さの左・右凹部と、下顎角に当接する突起部４５と、を備えていることを特徴とする。【選択図】図１
2009160287.tif 000002
【特許請求の範囲】
【請求項１】
首に沿って巻回されるとともに、鎖骨と下顎骨の間に宛がって下顎骨を支持する硬さを有する軟質合成樹脂からなる下顎骨支持体を有する頸椎カラーであって、該支持体には、
オトガイ支持のための正面視Ｕ字状のオトガイ受け部と、
下顎骨下縁に沿って当接して支持する前記オトガイ受け部の両側に延出する下顎骨当接部と、
下顎角から下顎枝方向に当接する突起部と、
を備えていることを特徴とする頸椎カラー。
【請求項２】
前記支持体には、さらに、左右の総頸動脈を圧迫しないための深さに形成された左・右凹部と、
下顎骨下縁に沿って当接して支持する下顎骨当接部に、左右の顔面動脈を圧迫しないための溝または空洞部が形成されていることを特徴とする請求項１記載の頸椎カラー。
【請求項３】
首に沿って巻回されるとともに、鎖骨と下顎骨の間に宛がって下顎骨を支持する硬さを有する軟質合成樹脂からなる下顎骨支持体を有する頸椎カラーであって、該支持体は、
オトガイ支持のための正面視Ｕ字状のオトガイ受け部と、
下顎骨下縁に沿って当接して支持する前記オトガイ受け部の両側に延出する下顎骨当接部と、
下顎角から下顎枝方向に当接する突起部とを備え、
前記下顎骨支持体の少なくともオトガイ受け部下および下顎骨当接部下の断面形状において、前方に湾曲している
ことを特徴とする頸椎カラー。
【発明の詳細な説明】
【技術分野】
【０００１】
本発明は、所謂頸椎カラーに関し、頸部を締め付けるような違和感を与えず、就寝時における下顎の下降を抑制することにより、気道の閉塞状態を緩和して、いびきの発生を防止し、睡眠時無呼吸症候群の症状を緩和する頸椎カラーに関する。また、他の用途として自動車の追突事故発生時などに首への過伸展、過屈曲で損傷を受けるむち打ち症の防止にも有用な頸椎カラーに関するものでもある。
【背景技術】
【０００２】
様々な病気や体質的な異常・障害、その他一時的な疲れやアルコールの影響などにより、軟口蓋や舌根が上気道を塞いで上気道が狭くなる事がある。上気道が狭められると、呼吸したときの空気抵抗が大きくなり、粘膜や分泌物が振動して音が出る。その音を称していびきと言う。いびきは呼吸のリズムと同期して起こる為、それが途切れる事が一定レベル以上起こると、睡眠時無呼吸症候群が疑われる。睡眠時無呼吸症候群とは、睡眠中に呼吸が数十秒間も止まる発作をひと晩に何十回も繰り返し、そのたびに反復して大いびきをかくものであるが、医学的には、ギルミノー博士によって「ひと晩７時間の睡眠中に１０秒以上の無呼吸が３０回以上認められるか、あるいは一時間当たりの睡眠中に１０秒以上の無呼吸が５回以上あるもの」と定義されている。無呼吸がつづくことで体に負荷がかかり寿命が短くなったり、生活習慣病（高血圧、心臓病、糖尿病、脳卒中など）を発症する可能性が高まったり、昼間の眠気による事故にも繋がるため、本人だけでなく社会的にも問題となる。
【０００３】
睡眠時無呼吸症候群の治療法としては、（１）ＣＰＡＰ（continuous positive airway pressure ; シーパップ）装置よりチューブを経由して鼻につけたマスクに加圧された空気を送り、その空気が舌根の周りの空間を広げ吸気時の気道狭窄を防ぐ方法（特表２００１−５２２６６２号公報、特開２００２−２８２４０号公報など）。（２）下顎を前方に突き出させるように工夫したマウスピースをつけることにより、気道が広がり、イビキや無呼吸症状を緩和する方法（特開平２−１２６１号公報など）。（３）扁桃腺肥大や軟口蓋の肥大などが睡眠時無呼吸の主因であるときには肥大した部分を取り除く耳鼻咽喉科手術や、狭い喉を広げるためにレーザー治療する方法。（４）いびき消音具（実公昭５５−４９０７０号公報、実用新案登録第３１０６８７６号公報）、（５）その他、いびきの解消としていびき防止枕や、いびき防止シールなどの簡易的な方法が提案されている。
【０００４】
前記方法についてはいずれも少なからず解決すべき課題を含んでいる。例えば（１）の方法では、装置が必要であるためその費用がかかる或いは寝室内における装置の置き場所の確保などをどうするのかということ、（２）の方法は、非常に簡易的で場所も取らないが、形状の複雑な部位においては洗浄が充分でない場合が多く、口腔内での継続使用に関しては衛生面での課題が残ること、（３）の方法は、外科的手術となるため一般の患者が躊躇して、余程切迫した状況にならないと治療を受ける決断ができないこと、（５）の方法は実際の効果が不明な場合が多いことなどである。また（４）の方法は、前記（１）〜（３）の課題を解決しうる方法として有力ではあるが、頸部との接触面、喉頭隆起や動脈の圧迫抑制、或いは柔軟な素材で作成すると下顎骨を支持することができる程度の形状保持性がない、などの改善する余地が残されていたのである。
【特許文献１】特表２００１−５２２６６２号公報
【特許文献２】特開２００２−２８２４０号公報
【特許文献３】特開平２−１２６１号公報
【特許文献４】実公昭５５−４９０７０号公報
【特許文献５】実用新案登録第３１０６８７６号公報
【発明の開示】
【発明が解決しようとする課題】
【０００５】
本発明は、いびきや睡眠時無呼吸症候群の治療方法として、安全で、衛生的であり、下顎や頸部に圧迫感や違和感を与えることなく、就寝時の下顎の下降を抑制することにより、気道の閉塞状態を緩和する頸椎カラーを提供することを目的とする。
【課題を解決するための手段】
【０００６】
上記課題を解決するため、本発明の頸椎カラーは、首に沿って巻回されるとともに、鎖骨と下顎骨の間に宛がって下顎骨を支持する硬さを有する軟質合成樹脂からなる下顎骨支持体を有し、該支持体には、オトガイ支持のための正面視Ｕ字状のオトガイ受け部と、下顎骨下縁に沿って当接して支持する前記オトガイ受け部の両側に延出する下顎骨当接部と、下顎角に当接する突起部とを備えていることを特徴とする。
【０００７】
この頸椎カラーは、下顎骨支持体の両端から延びて、首に固定するために首の後ろ側に当たる部位が伸縮性材料で構成されて成る首輪構造とすることができる。或いは、下顎骨支持体の両端から延びる伸縮性帯状体の両端部に形成される係着手段によって首に装着する構造にすることもできる。オトガイ支持のためのオトガイ受け部と、下顎骨当接部によって、下顎が就寝時に下降することを抑制する。また喉頭隆起や総頸動脈を圧迫しないための凹部が設けられ、下顎角から下顎枝方向に当接して下顎骨の降下をさらに効果的に抑制するように作用する突起部を有することが特徴である。
【０００８】
この突起部は従来の頚椎カラーには形成されていないものであるが、単に下顎骨を持ち上げて支持するだけでなく、積極的に下顎骨を前方向に押すことができる。この作用としては、下顎の下降によって下顎骨支持体の中央部にあるオトガイ受け部や下顎骨当接部が下方向に押し下げられることなるが、該支持体の端部にある突起部は逆に前方向に押し上げられることとなる。このような作用によって効果的に気道の確保ができるのである。なお、女性や子供が使用する場合は必須ではないが、男性の場合には、前記頸椎カラーの内面に喉頭隆起を収容する深さの正面凹部が設けられていることが望ましい。
【０００９】
また本発明は、支持体に左右の総頸動脈を圧迫しないための深さの左・右凹部と、下顎骨に沿って当接して支持する下顎骨当接部に、左右の顔面動脈を圧迫しないようにするための溝または空洞部が形成されていることを特徴とする。このような溝または空洞部が形成されていることによりこの種の用具で問題となりうる、血管の圧迫を解消することができるのである。この部分は従来にない構成であるが、本発明では、下顎骨の支持力を確実に得るために適度な硬さを有する樹脂材料を使用することとなり、その場合にも、より安全性を向上させることができるのである。なお、下顎骨下縁に当接する側および鎖骨に当接する側の形状をそのままにして、支持体を幅方向に対して分割し、両者の間を少なくとも３箇所（具体的にはオトガイ受け部の下、左右の突起部の下）にてパイプなどを支柱として連結することもできる。このような構成により支持体の幅方向に空間を形成することができるので、蒸し暑い夏などの季節に対応することができるのである。
【００１０】
さらに本発明は、前記下顎骨支持体の少なくともオトガイ受け部下および下顎骨当接部下の断面形状において、前方に湾曲していること、好ましくは下顎骨支持体の全長に渡り、断面形状が湾曲していることを特徴とする。この湾曲により、下顎の降下に対して弾力性をもって支持体全体で反発することができる。また、個人間で首の長さが異なる場合に対しても該湾曲部によりある程度の調整が図られるのである。
【発明の効果】
【００１１】
本発明の頸椎カラーは、下顎角から下顎枝方向に当接して下顎骨の降下をさらに効果的に抑制するように作用するので、気道の確保はより効果的となる。また、下顎骨を支持することができる適度な硬さを有する軟質合成樹脂を使用しているので、従来の同種の（スポンジなどの柔軟な素材でできている）製品に比べて下顎の下降抑制効果が高い。さらに、３箇所の凹部が形成されているので、適度な硬さを有することに起因する頸部の圧迫感、特に喉頭隆起や総頸動脈に対する圧迫感を解消することができる。
【００１２】
また、左右の顔面動脈に対しても圧迫しないような溝または空洞部が形成されているので、就寝中でも安心して装着することができるのである。そして、前記下顎骨支持体が湾曲していることによって、下顎骨の支持作用（持ち上げる作用）を増強することもできる。この湾曲部位には、首の長さが人によって異なることに起因する頸椎カラーの幅（鎖骨から下顎骨までの長さに相当）のズレを調整する効果もある。
【００１３】
さらに、例えば車の運転中に追突されると、シートに触れていない頭部が残り、身体とはワンテンポずれた動きをすることになるために、衝撃時には首が後ろに引き伸ばされ（過伸展）、次の瞬間にその反動で頭部が前に倒れて首が前方に強く曲がる（過屈曲）ことにより、首の損傷であるむち打ち症が起き易いといわれる。このような事態に備えて本発明の頸椎カラーを装着することで、首を安定して固定することができるので、少なくとも過屈曲を防止してむち打ち症などの不意の災害を予防・軽減することができるという効果もある。
【発明を実施するための最良の形態】
【００１４】
本発明の頸椎カラー１０は図１に示すように、全長が首に沿ってほぼ一巻状に巻回される長さを有する。図に示す頸椎カラーの両端には係着手段２１が付設されている。係着手段２１は雌雄の面ファスナーを採用している。該面ファスナーによれば、首の太さによらず無段階で長さの調整が可能であり、また迅速に装脱着可能であるので、快適に使用することができる。この係着手段は、面ファスナーが一般的であるが、他に段階的に係着できる所謂ベルトであってもよく、単に紐を結ぶことによって首に固定してもよい。また、係着手段を用いないで、首の後ろ側に当たる部分２０を伸縮性の材料で形成することにより、頭からかぶるようにして首に固定することもできる。なお、図３は従来の頸椎カラー１００を比較のために示している。
【００１５】
下顎骨支持体５０には、鎖骨に当接する側３０と、下顎骨下縁に当接する側４０とがある。この両側３０、４０の端面形状には以下の相違がある。すなわち、下顎骨支持体５０を左右に引き延ばした状態で、鎖骨に当接する側３０は、ほぼ水平に或いは緩やかな曲線を描くように延びている。一方、下顎骨下縁に当接する側４０は、中心部にＵ字状のオトガイ受け部４１、その両サイドには上に凸の曲線状に延びる下顎骨当接部４２、下顎角から下顎枝方向に当接するように形成された突起部４５を有しているのである。そして、従来の支持体との差違点としては、この突起部４５が形成されていることである。下顎骨当接部４２によって下顎の下降を抑制することを達成し、それだけではなく突起部４５が下顎角から下顎枝方向に当接することで、下顎骨の降下をさらに効果的に抑制するように作用する。この作用によって、気道の閉塞を効果的に防止できるのである。
【００１６】
前記作用について、図４を用いて説明する。図４には、本発明の頸椎カラーを首に装着した状態を示している。ここで、使用者の下顎が降下すると図に示す矢印Ａの方向に頸椎カラーが押されることとなる。頸椎カラーは下顎骨支持体が適度な硬さを有して一体であり、係着手段によって首に巻回されているので、該支持体の一部が押されることによりオトガイ受け部周辺の支持体は矢印Ａの方向に降下するが、支持体全体としては矢印Ｂの方向に力が作用する。そして、特に該支持体の端部にある突起部４５の周辺では矢印Ｃで示すように矢印Ａとは反対方向に押し上げられる結果となる。そうすると、突起部４５の面４５ａは、下顎角を前方方向（矢印Ｄ）へ押し出す作用が働くこととなり、これによって下顎の下降作用が大きい場合には下顎全体を前に押しだそうとするから気道の確保がより有効なのである。
【００１７】
下顎骨支持体５０は、その基材となる素材が、シリコン系樹脂、ウレタン系樹脂、エチレン酢酸ビニル系樹脂、ポリエステル系樹脂、ポリエチレン系樹脂、ポリプロピレン系樹脂、ポリスチレン系樹脂、メラミン系樹脂などから選択される１種以上で形成されている。これらの合成樹脂は加工性が良好であり、製品重量を軽量化することができる。前記樹脂のうち、汎用性、加工性、さらに、これらの合成樹脂を発泡体とすることで、より軽量化が図れるので、装着したときの違和感がなく、熟睡できる。また発泡体にすることにより保温効果も高くなり、特に冬季における装着に好適となる。
【００１８】
本発明の下顎骨支持体５０はヤング率（弾性係数）が０．０１〜０．１ＧＰaの範囲の硬さであることが好ましい。従来のいびき防止に用いられている基材は装着したときの違和感軽減のみを重要視してきたため、そのヤング率は０．０１より小さい、所謂スポンジ材のようなものであり、下顎の支持効果としては殆ど期待できないものであった。本発明の下顎骨支持体はヤング率を高めに設定する代わりに、人体の圧迫すべきでない部分を保護・回避する構造を採用することにより、支持効果と装着感の向上を達成したものである。
【００１９】
本発明の下顎骨支持体５０の大きさとしては、使用者の首の太さや長さにより一律に決定することは困難であるが、例えば成人の標準的サイズで高さ（鎖骨当接側３０と、下顎骨当接側４０との間の長さ）を７〜１０ｃｍ、長さ（支持体を平面に延ばしたときの長さ）を１８〜２５ｃｍの範囲で設定することができる。
【００２０】
下顎骨支持体は、その全体をポリエステル繊維やポリエーテルエステル繊維、ポリアミド繊維、アクリル繊維などにより外装されていてもよい。これらの被覆により、従来の肌着として使用されてきた繊維を使用して皮膚との接触面をより快適にすることもでき、またこの外装を定期的に取り替えあるいは洗濯などを行うことで常に衛生的に保つこともできるのである。なお下顎骨支持体または外装繊維に抗菌性剤を添加して長期に渡る使用にも微生物等の繁殖を抑えることも可能である。さらに外装をカラフルにして、就寝時だけでなく、冬季のマフラーの代わりに、又は車運転時のむち打ち症防止として使用することもできる。
【００２１】
本発明のオトガイ支持のためのオトガイ受け部４１について説明する。オトガイ受け部は正面視Ｕ字状に形成されている。Ｕ字状とは、必ずしもＵ字のみに限定する意味ではなく、半球状、Ｖ字状、楕円半球状などを含みうるものである。このオトガイ受け部は下顎骨支持体の前面５１から、前方向に延出するように形成されていてもよい。これにより受け部の面積を広くして、下顎の荷重が部分的に集中することを避けて、よりソフトに下顎の降下や沈下を防止するようにしてもよい。
【００２２】
前記オトガイ受け部４１の両側に、下顎骨下縁に沿ってフィットするように下顎骨当接部４２が形成される。下顎骨当接部４２はオトガイ受け部とともに下顎の降下を防止するものであり、オトガイだけでなく下顎骨全体を支持するために形成されているものである。従って、下顎がオトガイから関節に向かって上昇している形状に合わせて、下顎骨当接部も（上方向に）斜面状に傾斜させて形成されていることが望ましい。なお、鎖骨側３０も肩に向けて傾斜させて形成されるので、下顎骨支持体の全体の高さについては大きな変化はない。従って、該支持体を平面に延ばしたときの形状は全体でＵ字（またはＶ字）状となる。
【００２３】
この下顎骨当接部４２は、下顎骨支持体の厚みがそのまま当接部の幅となっているものであるが、この厚さとしては０．５〜１．５ｃｍ程度が適当である。これより厚くすると、全体の重量が重くなり、また装着感が悪くなる傾向があるからである。また前記最少厚さより薄いと、当然下顎骨との接触面が細くなるので、下顎の重さを面ではなく線で受ける事となる結果、当接部への荷重が集中し、装着感が悪くなる傾向がある。
【００２４】
下顎骨当接部４２には、好ましくは左右の顔面動脈を圧迫しないように溝４３が形成されている。この溝４３は、重要な血管である顔面動脈を保護するものであり、従来のスポンジ様の下顎骨支持体では特に考慮する必要がないものであった。本発明では下顎を支持する効果を担保するために、ある程度のヤング率を有する材料を使用する結果、この部位に溝（または空洞部）を形成することが好ましい。
【００２５】
下顎骨当接部４２の端部には突起部４５が形成されている。突起部４５の面４５ａは、下顎角に当接して下顎骨の降下をさらに効果的に抑制するように作用する。この作用は前記の通り、例えて言えば、前記下顎骨当接部が下顎骨を顔面に対して上方向に押すように作用するのに対して、該突起部は下顎骨が顔面に対して前方向に押すように作用しているのである。従って、本発明のこのような２方向への支持力が、下顎骨の降下をより効果的に抑制し、気道の確保に有効なのである。
【００２６】
本発明に係わる頸椎カラーは基本的には下顎骨の降下、沈下を抑制することであるため、この効果をより顕著にするには、例えば就寝時における後頭部側の保持・支持についてもある程度の関連性を有する。すなわち、就寝に際して枕などで後頭部側を若干持ち上げ気味にて、本発明の頸椎カラーを使用すれば、頭部が後ろに伸展することを抑制することができるので、後頭部側並びに下顎骨側からの２方向による支持が可能となり、下顎骨保持のさらなる効果が期待できるのである。
【００２７】
図２には、本発明の頸椎カラー１０を内面方向からみた概略図を示している。下顎骨支持体５０の内面には喉頭隆起を収容する深さの正面凹部５２が形成されている。この部位は女性や子供にとっては必ずしも設ける必要はないが、成人男性に使用する場合には特に必要となる。また、この部位を貫通した孔とすることも可能ではあるが、それによって下顎の支持力が低下するおそれもあるので、下顎骨支持体５０の前面５１においては、素材が存在する凹部とすることが好ましいのである。この凹部の輪郭は、喉頭隆起を収容する形状であれば円状、楕円状、菱形状、三角形状や多角形状を採用することができる。
【００２８】
前記正面凹部５２の左右には、左右の総頸動脈を圧迫しないようにする深さを有する左・右凹部５３が形成されている。この形状については前記正面凹部５２と同様、各種の態様を選択することが可能である。
【００２９】
図５には、本発明の他の具体例を示している。この頸椎カラーの下顎骨支持体は、全長に渡って断面くの字状に前方に湾曲している。従来の支持体は、基本的には平坦な板を首に対して巻回する構造（図３の従来技術参照）であった。それに対して、この具体例では、図に示すように断面くの字状（図６（ａ）参照）に湾曲した支持体を首に巻回している点に特徴を有する。このような構造にすることにより、鎖骨と下顎骨下縁との間を直線的に支える従来の支持体構造よりも、湾曲面で支えることとなり、支持体全体の反発力をもって支持することができるのである。この湾曲面の形状は図６（ｂ）に示すように円弧状であっても良く、その他直線的でない湾曲面で支えることができる形状であれば良い。
【００３０】
すなわち、直線的に支える支持体構造の場合には、下顎の降下により力が作用している部分のみが押し縮められ、その部分が反発することになるので、支持体の高さ方向における中間部位については特に力が加えられることがない。しかし、この具体例によれば、下顎の降下により支持体全体を曲げる方向に力が作用するから、支持体の形状を維持するために支持体構造全体からの反発力が作用することになる。そうすると、（従来の場合）支持体の素材によるだけでなく、（本具体例の場合）支持体構造に起因する反発力が作用するので、より効果的な支持がなし得るのである。しかも、支持体によるこの反発力は顔面前方に下顎を押し出す方向に作用するために、気道確保の観点から非常に効率がよいのである。なお、このような構成にすることからすれば、先の具体例にあるような喉頭隆起を収容する深さの凹部や、左右の総頸動脈に対する凹部を敢えて形成する必要がなくなることも利点の一つである。
【００３１】
図７には、本発明の他の具体例を示している。この頸椎カラーは、下顎骨下縁に当接する側（６２など）および鎖骨に当接する側（７０）の形状をそのままにして、支持体６０を幅方向に対して分割し、両者の間を少なくとも３箇所（具体的にはオトガイ受け部６１の下、左右の突起部６５の下）にて樹脂製のパイプ（８０、８０ａ、８０ｂ）を支柱として連結し空間を形成したものである。支持体６０は、首の後ろ側で固定ベルト９０と面ファスナ９２により適当な位置に保持することができる。固定ベルト９０は、パイプ８０ｂを固定端とし、パイプ８０ａに形成された細い隙間を貫通しその先端部分に面ファスナ９２を有しているが、この部分がボタンやフックなど他の連結手段であっても良い。
【００３２】
オトガイ受け部６１、下顎骨当接部６２、溝６３、突起部６５などの作用効果については前記図１等で説明した通りであるので省略する。この例では下顎骨下縁に当接する側と鎖骨に当接する側との間に空間を形成することにより、通気性が良好となるので暑い季節などには使用者にとって大変使い勝手がよい。この空間は単に何もない状態にするだけでなく、メッシュを張り付けて審美性を施したり、冬などの寒い季節に対応できるように当該部分に詰め物を補填することもできる。また、この空間形成にともない先の具体例にあるような喉頭隆起を収容する深さの凹部や、左右の総頸動脈に対する凹部を敢えて形成する必要がなくなる。
【００３３】
この空間を支える支柱としてこの具体例では３箇所を支えているが、４箇所以上に支柱を増加することもできる。支持体の樹脂材料の硬さと支柱の数とは反比例の関係にあって、樹脂材料が適度な硬さを有するものであれば支柱の数は少なくても良い。またこの具体例では支柱に樹脂製のパイプを使用しているが、この材料としては他に金属、ガラス、木、セラミックなどの各種材料を適宜選択することができる。
【産業上の利用可能性】
【００３４】
以上のように構成した本発明の頸椎カラーは、下顎骨に対して２方向へ支持する作用があるので、従来品に比べて下顎骨の下降がより効果的に抑制され、気道の確保に有効である。従って、いびき防止や無呼吸症候群の治療用具として好適である。
【００３５】
また、本発明の頸椎カラーは、カラフルに着色する等してマフラーの代わりとしたり、首の損傷防止として、例えば車運転中の追突事故や、器械体操・球技などのスポーツ時の衝撃によるむち打ち症の発生防止などに役立てることもできる。
【図面の簡単な説明】
【００３６】
【図１】図１は、本発明の頸椎カラーを正面視右方向から見た概観図である。
【図２】図２は、本発明の頸椎カラーを内面方向から見た概略図である。
【図３】図３は、従来の頸椎カラーの概観図である。
【図４】図４は、本発明の頸椎カラーを首に巻回した状態を示す概観図である。
【図５】図５は、本発明の頸椎カラーの他の実施例を正面視右方向から見た概観図である。
【図６】図６（ａ）は、図５に示す頸椎カラーのオトガイ受け部における断面図である。また図６（ｂ）は（ａ）に示す頸椎カラーの断面図の他の例を示す図である。
【図７】図７は、本発明の頸椎カラーの他の実施例を正面視右方向から見た外観図である。
【符号の説明】
【００３７】
１０、１００  頸椎カラー
２１        係着手段
３０、７０  鎖骨当接側
４０        下顎骨当接側
４１、６１  オトガイ受け部
４２、６２  下顎骨当接部
４５、６５  突起部
５０、６０  下顎骨支持体
【図１】
2009160287.tif 000003
【図２】
2009160287.tif 000004
【図３】
2009160287.tif 000005
【図４】
2009160287.tif 000006
【図５】
2009160287.tif 000007
【図６】
2009160287.tif 000008
【図７】
2009160287.tif 000009